(57)【要約】【課題】  整地体の整地面への付製力の加減圧調節が容易にできる砕土作業機の整地体加減圧調節装置を提供する。【解決手段】  整地体上面に一端を前後方向回動自在に連結した支持ロッドの他端側である上方部を、機枠体側に設けた支持アームの一端に上下動自在に挿通させ、整地体を加圧するコイルバネと減圧するコイルバネを支持アームの上下に支持ロッドに挿着して保持し、該支持アームを機枠体側の回動支点で回動させることで取付角度を変化固定させ整地体の付勢力を調節するように構成した。また支持アームの回動は支持アーム回動半径の支持ロッド位置より外方に設けたレバーにより行うように構成した。【選択図】      図２
2006204226.tif 000002
【特許請求の範囲】
【請求項１】
トラクターに装着される装着部を有する機枠体と、機枠体に設けた砕土ロータリーを有する砕土体と、砕土体の後方に配設され機枠体に対し上下方向回動自在に設けた整地体とを有する砕土作業機において、整地体上面に一端を前後方向回動自在に連結した支持ロッドの他端を、機枠体に設けた支持アームの後端側に上下動自在に挿通させるとともに、該支持アームの上下位置に整地体を加圧するコイルバネと減圧するコイルバネを支持ロッドに挿着して保持し、該支持アームは前方端の機枠体側を回動中心として上下回動自在に設けて、回動位置を任意の位置に固定保持することで整地体の上下回動方向の付勢力を調節するように構成したことを特徴とした砕土作業機の整地体加減圧調節装置。
【請求項２】
支持アームの上下回動位置固定操作は、該支持アームの回動半径の、支持ロッドの挿通位置より外側の回動範囲に設けた操作レバーにより、支持ロッドに挿着されたコイルバネの付勢力を加減し支持アームの回動位置を固定するように構成した請求項１記載の砕土作業機の整地体加減圧調節装置。
【発明の詳細な説明】
【技術分野】
【０００１】
本発明は、砕土ロータリーを有する砕土作業機の後部に設けられた整地体を加減圧調節する加減圧調節装置の構成に係る。
【背景技術】
【０００２】
背景技術として、砕土作業機の整地体を加減圧調節する方法は、整地体と機枠体との間にバネを介在させ、このバネ圧を調節することで行われていた。例えば、実録第２５０８３７０号公報や実開昭６４−５２４０３号公報および公開実用昭６２−３９４０３号公報で公知であるように、整地体にロッドを枢着し、ロッドの上方端側を機枠体側に固定した部材に貫通させ、該部材の上方側と下方側にコイルバネを挿着させるとともに、上方側と下方側にそれぞれ設けたコイルバネの任意の係止穴又は係止溝に係止ピンを差し込んで、バネ圧を調節していた。
【特許文献１】実録第２５０８３７０号公報
【特許文献２】実開昭６４−５２４０３号公報
【特許文献３】公開実用昭６２−３９４０３号公報
【発明の開示】
【発明が解決しようとする課題】
【０００３】
前記従来技術における整地体の加減圧調節は、整地体を保持しているコイルバネが挿着されているロッドの軸方向にはコイルバネによって付勢力が作用していて、重量のある整地体を持ち上げて上下させコイルバネの付勢力を弱めて差し替えを行い調節するものであった。このため、係止ピンの抜き差しが面倒であり、係止ピンの抜き差し時にコイルバネが飛び出したり、整地体が落下する危険が伴う問題があった。
【０００４】
このため本発明の目的は、整地体による整地面への付勢力の加減圧調節が容易にできる砕土作業機の整地体加減圧調節装置を提供することにある。
【課題を解決するための手段】
【０００５】
上記課題を解決するために、トラクターに装着される装着部を有する機枠体と、機枠体に設けた砕土ロータリーを有する砕土体と、砕土体の後方に配設され機枠体に対し上下方向回動自在に設けた整地体とを有する砕土作業機において、整地体上面に一端を前後方向回動自在に連結した支持ロッドの他端を、機枠体に設けた支持アームの後端側に上下動自在に挿通させるとともに、該支持アームの上下位置に整地体を加圧するコイルバネと減圧するコイルバネを支持ロッドに挿着して保持し、該支持アームは前方端の機枠体側を回動中心として上下回動自在に設けて、回動位置を任意の位置に固定保持することで整地体の上下回動方向の付勢力を調節するように構成したことを特徴とした砕土作業機の整地体加減圧調節装置を提供するものである。
【０００６】
また、前記砕土作業機の整地体加減圧調節装置において、支持アームの上下回動位置固定操作は、該支持アームの回動半径の、支持ロッドの挿通位置より外側の回動範囲に設けた操作レバーにより、支持ロッドに挿着されたコイルバネの付勢力を加減し支持アームの回動位置を固定するように構成した砕土作業機の整地体加減圧調節装置を提供するものである。
【発明の効果】
【０００７】
以上のような構成にすることにより、支持ロッドに挿着された整地体を加圧するコイルバネと減圧するコイルバネを係止する係止ピンを抜き差しして整地体の加減圧調節をする必要がないため、コイルバネが飛び出したり、整地体が落下するような危険を回避でき、簡単に整地体の加減圧調節ができる。
【０００８】
また、支持アームの回動半径の支持ロッドの挿通位置より外側の回動範囲に設けたレバーにより支持アームを回動させることにより、支持ロッドに挿通されたコイルバネの反力より小さい力で支持アームを回動させることができ、該支持アームの回動固定位置の調節がより楽に簡単に行える。すなわち、整地体の加減圧調節が容易に行える。
【発明を実施するための最良の形態】
【０００９】
以下、本発明の一実施例の形態を図面に基づいて説明する。
図１は本発明を実施した砕土作業機の側面図、図２は整地圧調節部の側断面図、図３は整地圧調節部を減圧側に調節した場合の要部側断面図、図４は整地圧調節部を加圧側に調節した場合の要部側断面図、図５は本発明を実施した砕土作業部の後面図を示したものである。
【００１０】
この発明の１つの実施形態を示す代掻き装置は、図示していないトラクターの後方位置に装着マスト１１と機体中心部前方に左右に設けたロアピン１２によって装着され、平面視中央の装着マスト１１から左右水平方向に配設される機枠体１と、機枠体１に支持され砕土爪２１を回転させ砕土する砕土ロータリー２０と、砕土ロータリー２０の上方を覆うロータリーカバー２２とを有する砕土体２を有する。機枠体１は、左右方向の一端に伝動ケース１５、両端に機枠サイド板２３をそれぞれ備えている。
【００１１】
砕土ロータリー２０は、図示していないトラクター後方のＰＴＯ出力軸と、機体中央前方部の砕土ロータリー２０上方部に設けた入力ケース１３より前方に突設させた入力軸１４とユニバーサルジョイントで連結しトラクターよりの動力で駆動される。入力ケース１３の中にはベベルギヤが設けてあり、減速とともに回転軸の方向が進行方向と直交する方向に変換され左右方向の一端に設けた伝動ケース１５に伝達され、これにより砕土ロータリー２０は回転駆動される。
【００１２】
砕土体２の後方に配設され機枠体１の機枠サイド板２３に上下方向回動自在に設けられる整地体３は、第１整地体３０と、第１整地体３０の後方に回動可能に設けられる第２整地体３１とで構成されている。整地体３は、左右水平方向に沿って配置され、砕土体２で砕土され放出された土を下方に誘導して水平に整地するものである。
【００１３】
第１整地体３０は砕土体２の後方に配置され、機体左右両側の機枠サイド板２３に左右両端をそれぞれ第１回動軸３２により上下方向回動自在に前方端を連結されている。そして、第１整地体３０の上面部は、丸棒または丸パイプで構成された支持ロッド４８の下方一端部が支持ロッド回動軸４８ａにより前後方向回動自在に連結されていて、支持ロッド４８の上方端側は機枠体１側の前方から後方に延出した支持アーム４０の後方端側に、回動ヨーク４２を介して上下動自在に挿通され保持されている。
【００１４】
回動ヨーク４２は、左右方向に回動軸を有し上下方向に支持ロッドを挿通させる孔を有して、支持アーム４０に保持されている。回動ヨーク４２の上方の支持ロッド４８には整地体３を上方に付勢するように作用する減圧コイルバネ４６が挿入されて、上方端は支持ロッド４８に直交して挿着した係止ピン４６ａで保持されている。また、回動ヨーク４２の下方の支持ロッド４８には整地体３を下方に付勢するように作用する加圧コイルバネ４７が、支持ロッド４８に直交して挿着した係止ピン４７ａにより加圧コイルバネ４７の下端を保持され取り付けられている。
【００１５】
このように構成されることにより、整地体３が回動して支持ロッド４８が上方に摺動すると、図４に示すように係止ピン４７ａが加圧コイルバネ４７を回動ヨーク４２に押し付け、この反力により整地体３は下方に付勢される。また、整地体３が下方に回動しようとする場合、図３に示すように支持ロッド４８が下方に摺動し、係止ピン４６ａが減圧コイルバネ４６を回動ヨーク４２へ押し付けるように作用し、これにより減圧コイルバネ４６の反力が支持ロッド４８を上方に押し上げるように働くため、整地体３の自重を軽減するように作用し、整地体３の圃場面への付勢力を減圧する。
【００１６】
支持アーム４０の前方端は、機枠体１に回動支持軸４３により上下回動自在に取り付けられているとともに、前後方向の中間部に係合孔を設け、これを機枠体１に設けた係合板４５ａの複数の係合孔４５のいずれかにロックピン４４を挿着し回動を固定できる構成となっている。このことにより、支持アーム４０後方の回動ヨーク４２の上下位置が、前記ロックピン４４の挿着する係合孔４５位置により調節され整地体３の上下動方向の付勢力を調節する。本実施例においては係合孔が上下方向に３個設けてあるが個数を増やすことにより付勢力を細かく調整できる。
【００１７】
係合孔４５へのロックピン４４の抜き差し時は、支持アーム４０に固着させた該支持アーム４０の回動半径が回動ヨーク４２より外側に握り部を設けた操作レバー４１によって支持アーム４０を回動させると、支持ロッド４８部の付勢力よりも小さい力で回動することができ、希望する加減圧の位置の係合孔４５へ簡単にロックピン４４を挿着できる。支持ロッド４８は本例においては左右方向に２組設けているが、１組であっても良く、また複数組設けても良い。
【００１８】
第２整地体３１は、第１整地体３０の後端部に第２回動軸３３により前方部の左右端部を上下方向回動自在に設けていて、砕土作業機の最後端に位置し、砕土体２で砕土された土を最終工程で整地していく。
【００１９】
第２整地体３１の上面部は、第２支持アーム５２と前後方向回動自在に連結され、第２支持アームの他方端は第１支持アーム５１と連結させてリンク体を構成していて、挿着マスト１１部分に設けたレバー５０を操作することにより、第２整地体３１を下方に回動させて固定する姿勢と上下回動自在の状態にすることができるように構成されている。第２整地体３１を下方に回動させて固定することで、整地体３部分は進行方向に対し直立する姿勢となり圃場の土引き作業が可能となる。
【００２０】
第１整地体３０の下方部には、左右方向に丸棒材を平行に複数本連設して構成したレーキ３４が設けてあり、夾雑物等を土中に埋め込み均平作用効果をより高めるためのものである。
【図面の簡単な説明】
【００２１】
【図１】本発明を実施した砕土作業機の側面図
【図２】整地圧調節部の側断面図
【図３】整地圧調節部を減圧側に調節した場合の要部側断面図
【図４】整地圧調節部を加圧側に調節した場合の要部側断面図
【図５】本発明を実施した砕土作業部の後面図
【符号の説明】
【００２２】
１      機枠体
１１    装着マスト
１２    ロックピン
１３    入力ケース
１４    入力軸
１５    伝動ケース
２      砕土体
２１    砕土ロータリー
２２    ロータリーカバー
２３    機枠サイド板
３      整地体
３０    第１整地体
３１    第２整地体
３２    第１回動軸
３３    第２回動軸
３４    レーキ
４      整地圧調節部
４０    支持アーム
４１    操作レバー
４２    回動ヨーク
４３    回動支点軸
４４    ロックピン
４５    係合孔
４５ａ  係合板
４６    減圧コイルバネ
４６ａ  係止ピン
４７    加圧コイルバネ
４７ａ  係止ピン
４８    支持ロッド
４８ａ  支持ロッド回動軸
５０    レバー
５１    第１支持アーム
５２    第２支持アーム
【図１】
2006204226.tif 000003
【図２】
2006204226.tif 000004
【図３】
2006204226.tif 000005
【図４】
2006204226.tif 000006
【図５】
2006204226.tif 000007